(57)【特許請求の範囲】
【請求項１】
液体収納体の液体取り出し用開口部となる筒部に合成樹脂製の蓋体を螺合させて閉じるようにした液体収納体の蓋体取り付け部構造であって、前記蓋体の周囲を包む硬質合成樹脂製の保護カバーを備え、この保護カバーは半円形の２つのカバー体を互いに結合させて組み合わせることにより構成され、各カバー体のそれぞれの一端側には他方のカバー体の他端側への差し込み片を突出するように備え、また各カバー体のそれぞれの他端側にはカバー体を互いに近づく方向に移動させて他端側の内側に差し込まれた差し込み片の外面に形成された凹状部に嵌入してカバー体の前記差し込み方向とは逆方向への動きを止める係止片を備えており、さらにカバー体の上下端部には蓋体を上下から挟む板部が設けられており、カバー体は蓋体に対して空回りするように構成されており、カバー体の両端部には差し込み片との繋がり部および係止片の形成部に開口する窓部が形成されていることを特徴とする液体収納体の蓋体取り付け部構造。
【発明の詳細な説明】
【技術分野】
【０００１】
本発明は、液体を収納する容器などの液体収納体の液体取り出し用開口部に設けられる蓋体を取り外し困難にした液体収納体の蓋体取り付け部構造に関するものである。
【背景技術】
【０００２】
従来の液体を収納する容器は例えば特許文献１に開示されているように、容器の液体取り出し用開口部をねじ式の螺合により閉じる開閉自在な蓋体が設けられ、この蓋体を開口部から外すことにより容器内部の液体を取り出せるようにしたものが知られている。
【０００３】
つまり、上記の特許文献１に開示されている容器では蓋体が簡単に外され、その欠点として容器内の液体が簡単に抜き取られ、液体が正しく使用されないという問題がある。
【特許文献１】特開平１１−１２５４号公報
【発明の開示】
【発明が解決しようとする課題】
【０００４】
上記特許文献１に開示されている容器の蓋体は、単に容器の液体取り出し用開口部にねじ込み式になっているだけであるので、容器から蓋体が簡単に外されるという問題、その結果容器内の液体が簡単に不正に抜き取られるという問題、さらには抜き取られた液体が悪用されたり、正しく使用されないという問題などがあった。
【０００５】
本発明の目的は、このような課題を解決するものであり、容器あるいは合成樹脂製袋などの液体収納体から蓋体が簡単に外されるのを防止し、液体収納体内の液体を不正に抜き取りにくくした液体収納体の蓋体取り付け部構造を提供することにある。
【課題を解決するための手段】
【０００６】
本発明の請求項１に記載の液体収納体の蓋体取り付け部構造は、液体収納体の液体取り出し用開口部となる筒部に合成樹脂製の蓋体を螺合させて閉じるようにした液体収納体の蓋体取り付け部構造であって、前記蓋体の周囲を包む硬質合成樹脂製の保護カバーを備え、この保護カバーは半円形の２つのカバー体を互いに結合させて組み合わせることにより構成され、各カバー体のそれぞれの一端側には他方のカバー体の他端側への差し込み片を突出するように備え、また各カバー体のそれぞれの他端側にはカバー体を互いに近づく方向に移動させて他端側の内側に差し込まれた差し込み片の外面に形成された凹状部に嵌入してカバー体の前記差し込み方向とは逆方向への動きを止める係止片を備えており、さらにカバー体の上下端部には蓋体を上下から挟む板部が設けられており、カバー体は蓋体に対して空回りするように構成されており、カバー体の両端部には差し込み片との繋がり部および係止片の形成部に開口する窓部が形成されていることを特徴とする。
【発明の効果】
【０００８】
以上のように、本発明の液体収納体の蓋体取り付け部構造は、蓋体の周囲を硬質合成樹脂製の保護カバーで包んでおり、保護カバーのカバー体は蓋体に対して空回りするように構成されているので、保護カバーと蓋体を一体に回そうとしても、保護カバーは蓋体に対して空回して蓋体を回して外すことができないものである。また、保護カバーを蓋体の周囲を包むようにセットした状態においていたずらに容器内の液体を取り出すために蓋体を開けようとしても、２つのカバー体の結合を外すために互いに左右にずれる方向に移動させようとするとすぐに蓋体の外面に当たるために、左右にずれる方向に移動させることができず、また２つのカバー体を差し込み片の差し込み方向とは逆方向へ移動させようとすると差し込み片の凹状部に係止片が嵌入しているために差し込み方向とは逆方向へ移動させることができず、保護カバーを外すことができないものである。保護カバーを外す場合は、差し込み片の凹状部と係止片との係止を適当な治具を用いて外すか、あるいは差し込み片の凹状部と係止片との係止部を鈍器などで破壊することにより行なうことができる。
【発明を実施するための最良の形態】
【０００９】
以下、本発明の一実施の形態を、図１〜図９を用いて具体的に説明する。
図において、１は例えば洗剤や洗浄液などの液体（詳しくは後で希釈して使用される原液）を収納する合成樹脂製の容器で、この容器１の上端には一側部近傍に液体取り出し用開口部２が上方に開口して形成されている。詳しくはこの液体取り出し用開口部２は、容器１の上面より一段高くなるように形成された肩部３から立ち上がる長さの短い筒部４に形成されており、筒部４の外周面に雄ねじ部５が形成されている。液体取り出し用開口部２は前記筒部４の雄ねじ部５に螺合する雌ねじ部６が内周面に形成された合成樹脂製の蓋体７により閉じられるようになっている。蓋体７の上端板部７ａには中央に円形の液体取り出し口７ｂが形成されるとともに、この液体取り出し口７ｂの近傍に液体取り出し口７ｂよりも小さな空気孔７ｃが形成されている。そして、この蓋体７の内部には上端板部７ａの下面に重なるようにシリコンあるいはゴムなどからなる柔軟性のある弁体８が設けられ、さらに蓋体７の内部には前記弁体８を蓋体７の上端板部７ａとの間で挟むようにＯリング状のパッキン９が設けられている。このパッキン９の外径は蓋体７の内径とほぼ同じで、蓋体７にパッキン９が内装された状態において勝手に抜け落ちないようになっている。なお、前記弁体８はＯリング状の外周部８ａと、この外周部８ａで囲まれる範囲内に存在し外周部８ａに折れ曲がり自在な一箇所の繋がり部８ｂで繋がり前記蓋体７の上端板部７ａの液体取り出し口７ｂを下側から開閉する円形の弁板８ｃとを備えている。また、前記パッキン９は発泡材からなるリング状部材９ａを合成樹脂フィルムからなるシート９ｂ，９ｃで上下から挟んで構成されている。そして、前記筒部４に蓋体７を螺合させて締め付けることにより前記パッキン９が筒部４の上端に圧接するとともに前記弁体８の外周部８ａは蓋体７の上端板部７ａとパッキン９との間に挟まれ、筒部４と蓋体７とのシール性が保持される。
【００１０】
ところで、前記蓋体７の上端板部７ａに形成されている液体取り出し口７ｂには吸い上げ手段（図示せず）に繋がるチューブ１０が前記弁板８ｃを斜めに押し下げて容器１内の底まで差し込まれ、容器１内の液体（原液）を定量づつ吸い上げて自動的に取り出し、希釈されて使用されるようになっている。
【００１１】
上記の構成では蓋体７は筒部４にねじ込み式に取り付けられているので、チューブ１０を容器１から引き抜いて蓋体７を逆転させることにより蓋体７は筒部４から簡単に取り外せるものであり、容器１内の液体が不正に抜き取られるという問題が生じる。
【００１２】
そこで、本実施の形態では蓋体７の周囲を包む硬質合成樹脂製の保護カバー１１を備え、液体取り出し用開口部２を開けるために保護カバー１１の外側から蓋体７を逆転させて外そうとしても蓋体７を回せないようになっている。その詳細について述べると、保護カバー１１は半円形の２つのカバー体１２，１３を互いに結合させて組み合わせることにより構成されるもので、各カバー体１２および１３のそれぞれの一端側には他方のカバー体１３および１２の他端側への差し込み片１２ａ，１３ａを突出するように備え、また各カバー体１２および１３のそれぞれの他端側にはカバー体１２，１３を互いに近づく方向に移動させて他端側に差し込まれた差し込み片１３ａ，１２ａの外面に形成された凹状部１３ｂ，１２ｂに嵌入してカバー体１２，１３の前記差し込み方向とは逆方向への動きを止める係止片１２ｃ，１３ｃを備えている。なお、カバー体１２，１３の上下端部には蓋体７を上下から挟むべく蓋体７の上端肩部７ｄに当接する板部１２ｄ，１３ｄと蓋体７の下面に近接する板部１２ｅ，１３ｅが設けられている。また、カバー体１２，１３の内面には他端部を除いて周方向に補強用のリブ１２ｆ，１３ｆがその先端が蓋体７の外周に当接しない長さに形成されている。さらに、カバー体１２，１３の両端部には前記差し込み片１２ａ，１３ａとの繋がり部および係止片１２ｃ，１３ｃの形成部に開口する窓部１２ｇおよび１３ｇが形成されている。
【００１３】
上記構成において、蓋体７の周囲を保護カバー１１で包むときは２つのカバー体１２，１３を蓋体７の両側に位置させ、その状態でカバー体１２，１３を互いに近づく方向に移動させて各カバー体１２および１３のそれぞれの一端側の差し込み片１２ａ，１３ａを他方のカバー体１３および１２の他端側の内側に差し込む。これにより、差し込み片１２ａ，１３ａの凹状部１２ｂ，１３ｂに係止片１３ｃ，１２ｃが嵌入し、カバー体１２，１３の前記差し込み方向とは逆方向への動きが止められる。この保護カバー１１を蓋体７の周囲を包むようにセットした状態において２つのカバー体１２，１３の結合を外すために互いに左右にずれる方向に移動させようとするとすぐに蓋体７の外面に当たるために、左右にずれる方向に移動させることができず、また２つのカバー体１２，１３を前記差し込み方向とは逆方向へ移動させようとすると前記差し込み片１２ａ，１３ａの凹状部１２ｂ，１３ｂに係止片１３ｃ，１２ｃが嵌入しているために前記差し込み方向とは逆方向へ移動させることができない。さらに、保護カバー１１を蓋体７の外周に強く圧接させて保護カバー１１と蓋体７を一体に回そうとしても、保護カバー１１が硬質合成樹脂で作られて硬いこと、前記リブ１２ｆ，１３ｆの先端が蓋体７の外周に当接しない長さに形成されていることにより、保護カバー１１は蓋体７に対して空回りすることになって蓋体７を回すことができないものである。従って、いたずらに容器１内の液体を取り出すために蓋体７を開けようとしても保護カバー１１を破壊しない限り蓋体７を開けることができないように構成されており、保護カバー１１を破壊すると不正したことが容易に判明できる構造となっている。保護カバー１１を破壊させずに外すために専用の治具を用意することも可能であり、専用の治具を管理者が管理することで液体の使用現場などでの一切の不正ができなくなる。そして、専用の治具を用意することにより容器１内部の液体が無くなって、再び容器１に液体を注入するために蓋体７を筒部４から外すことも可能で、その場合、差し込み片１２ａ，１３ａの凹状部１２ｂ，１３ｂと係止片１３ｃ，１２ｃの結合を外す場合は前記窓部１２ｇ，１３ｇの何れかの位置で差し込み片１２ａ，１３ａの何れかを内側に治具を用いて強く押すことにより差し込み片１２ａ，１３ａと係止片１３ｃ，１２ｃとの結合を解くことができるものである。
【００１４】
また、いたずらに容器１内の液体を取り出すために前記チューブ１０を容器１から引き抜き、容器１を傾けて液体取り出し用開口部２から液体を取り出そうとしても、蓋体７の内部には前記上端板部７ａの下面に重なるようにシリコンあるいはゴムなどからなる柔軟性のある弁体８が設けられているので、液体の内圧により前記弁板８ｃが液体取り出し口７ｂや空気孔７ｃを内側から閉じることになり、容器１内の液体を取り出すことができないものである。仮に弁板８ｃがチューブ１０の差し込みにより繋がり部８ｂの位置で下向きのくせがついていても、液体の内圧により前記弁板８ｃは液体取り出し口７ｂを内側から閉じることができる。
【００１５】
ところで、以上述べた実施の形態では、蓋体７の上端板部７ａに形成された液体取り出し口７ｂより容器１内に差し込んだチューブ１０により吸い上げ手段を介して容器１内の液体を定量づつ取り出すようになっているが、蓋体７の上端板部７ａに液体取り出し口７ｂや空気孔７ｃなどの孔部を備えていない蓋体に対しても保護カバー１１を装着できるものである。その場合、容器１内の液体を取り出すときは蓋体から治具を用いて保護カバー１１を外した状態で蓋体を筒部４の液体取り出し用開口部２から外し容器１を傾けて容器１内の液体を取り出せば良い。また、以上述べた実施の形態では、液体を収納するために合成樹脂製の容器を例に挙げたが、合成樹脂製の袋や瓶、缶などの液体収納体を用いるようにしても良い。合成樹脂製の袋を用いる場合、袋は例えば段ボールなどの厚紙からなる箱体に内蔵し、箱体の上端より袋の液体取り出し用開口部となる筒部を突出させ、その筒部に前述の蓋体７を螺合させて取り付けるとともに、蓋体７を包む保護カバー１１を装着させれば良い。さらに、廃棄時に前記保護カバー１１を治具を用いて分解させるか破壊させるなどすれば、蓋体７の内部に嵌め込まれている弁体８やパッキン９も蓋体７から取り出し、分別処理が可能な構造となっている。なお、保護カバー１１を破壊する場合は差し込み片１２ａ，１３ａの凹状部１２ｂ，１３ｂと係止片１３ｃ，１２ｃとの係止部を鈍器などで叩いて破壊すれば良い。
【図面の簡単な説明】
【００１６】
【図１】本発明の一実施の形態における液体収納体の蓋体取り付け部構造の概略分解斜視図である。
【図２】同蓋体の拡大分解斜視図である。
【図３】同保護カバーの拡大分解斜視図である。
【図４】同保護カバーで蓋体を覆った状態を示す要部斜視図である。
【図５】同保護カバーで蓋体を覆った状態を示す要部拡大斜視図である。
【図６】図４のＸ−Ｘ断面図である。
【図７】図４のＹ−Ｙ断面図である。
【図８】同蓋体より容器内に吸い上げ用のチューブを差し込んだ状態を示す容器の全体断面図である。
【図９】同チューブが容器から引き抜かれた状態において容器が傾いた状態を示す要部拡大断面図である。
【符号の説明】
【００１７】
１              容器
２              液体取り出し用開口部
３              肩部
４              筒部
５              雄ねじ部
６              雌ねじ部
７              蓋体
７ａ            上端板部
７ｂ            液体取り出し口
７ｃ            空気孔
８              弁体
８ａ            外周部
８ｂ            繋がり部
８ｃ            弁板
９              パッキン
９ａ            リング状部材
９ｂ，９ｃ      シート
１０              チューブ
１１              保護カバー
１２，１３        カバー体
１２ａ，１３ａ    差し込み片
１２ｂ，１３ｂ    凹状部
１２ｃ，１３ｃ    係止片
１２ｄ，１３ｄ    板部
１２ｅ，１３ｅ    板部
１２ｆ，１３ｆ    リブ
１２ｇ，１３ｇ    窓部
【図１】
0005188252.tif 000002
【図２】
0005188252.tif 000003
【図３】
0005188252.tif 000004
【図４】
0005188252.tif 000005
【図５】
0005188252.tif 000006
【図６】
0005188252.tif 000007
【図７】
0005188252.tif 000008
【図８】
0005188252.tif 000009
【図９】
0005188252.tif 000010